(57)【特許請求の範囲】
【請求項１】
電力線と分岐線の分岐点近傍に着脱可能に取設されて前記電力線と前記分岐線を平行に配しながら挟持する一対の挟持プレートと、一対の前記挟持プレートの空隙の広狭を調整する空隙調整部と、この空隙調整部を作動させる動力を外部から取り込むための動力受け部と、一対の前記挟持プレートに設けられ前記空隙に収容される前記電力線及び前記分岐線が前記空隙の外に出るのを妨げる係止部材と、を有し、
前記動力受け部は１つであり、
前記係止部材は、Ｌ字状又は湾曲してなるフック体であり、一対の前記挟持プレートのいずれか一方の長手方向端部に固設されることを特徴とする高圧縁線固定具。
【請求項２】
前記空隙調整部は、一対の前記挟持プレートを貫通して設けられる２本のネジ棒と、前記動力受け部に伝達される前記動力を２本の前記ネジ棒に伝達する動力伝達機構と、を備えることを特徴とする請求項１に記載の高圧縁線固定具。
【請求項３】
前記動力伝達機構は、笠歯車を用いることを特徴とする請求項２に記載の高圧縁線固定具。
【発明の詳細な説明】
【技術分野】
【０００１】
本発明は、高圧線（電力線）とそれから分岐する分岐線を所望期間固定しておくことができ、操作性が良好で、構造がシンプルであり、しかも、繰り返し使用が可能な高圧縁線固定具に関する。
【背景技術】
【０００２】
はじめに、従来技術について図９を参照しながら説明する。図９は従来技術に係るバインド線により電力線とその分岐線を固定した状態を示す側面図である。
図９に示すように、従来、電力線７上の分岐点９から分岐された分岐線８は、例えば、アルミ製で直径が２ｍｍ程度のバインド線１０を巻回して電力線７に緊縛固定していた。
この場合、高圧架線である電力線７にバインド線１０を巻回して緊縛する作業を、間接活線工具である絶縁ヤットコを用いて行うことは極めて作業性が悪く、多大な時間を要していた。このため、電力線７に分岐線８を容易に固定でき、その着脱が容易な固定具が必要とされていた。
【０００３】
上述のような課題に対処可能な先行技術としては、例えば、特開２０１２−２５３８７２号公報（特許文献１）、特開平９−２８４９７２号公報（特許文献２）、特開平５−１４６０４５号公報（特許文献３）、及び、特開２０１３−６９４７７号公報（特許文献４）が知られている。
特許文献１乃至３には、先の図９に示す電力線７の分岐点９とその近傍に配される電力線７及び分岐線８を収納可能なカバーが開示されている。
また、特許文献４には、分岐クランプが開示されており、このような分岐クランプによれば、電力線７と分岐線８とを平行に保持しながら挟持することができる。
【先行技術文献】
【特許文献】
【０００４】
【特許文献１】特開２０１２−２５３８７２号公報
【特許文献２】特開平９−２８４９７２号公報
【特許文献３】特開平５−１４６０４５号公報
【特許文献４】特開２０１３−６９４７７号公報
【発明の概要】
【発明が解決しようとする課題】
【０００５】
しかしながら、特許文献１乃至３に開示される発明の場合は、電力線７及び分岐線８を平行に配した状態で、しっかりと挟持して固定するという技術内容を有するものではなかった。
また、特許文献４に開示される発明の場合は、電力線７及び分岐線８を平行に配した状態で、しっかりと挟持して固定できるものの、複数あるボルトを１つずつ固定してやる必要があるため、取付け及び取外し作業が煩雑な上、各ボルトの締め付け具合を均一化することが難しいので、特許文献４に開示される分岐クランプによる電力線７及び分岐線８の挟持力を均一化することも難しかった。
【０００６】
本発明はかかる従来の事情に対処してなされたものでありその目的は、電力線の分岐点近傍において、電力線と分岐線とを平行に保ちながらしっかりと挟持して固定することができ、電力線及び分岐線への着脱が容易で、かつ、その操作も容易であり、しかも、構造がシンプルで繰り返し使用できる高圧縁線固定具を提供することにある。
【課題を解決するための手段】
【０００７】
上記課題を解決するため第１の発明である高圧縁線固定具は、電力線と分岐線の分岐点近傍に着脱可能に取設されて電力線と分岐線を平行に配しながら挟持する一対の挟持プレートと、この一対の挟持プレートの空隙の広狭を調整する空隙調整部と、この空隙調整部を作動させる動力を外部から取り込むための動力受け部とを有し、動力受け部は１つであることを特徴とするものである。
上記構成の第１の発明において、一対の挟持プレートは、電力線及び分岐線を平行にした状態でしっかりと挟持して固定するという作用を有する。また、空隙調整部は、一対の挟持プレートの間に形成される空隙の広狭を調整可能にするという作用を有する。そして、動力受け部は、空隙調整部を作動させるための動力を外部から取り入れる受け口となる。
よって、このような第１の発明によれば、外部から供給される動力により、空隙調整部が作動し、これにより一対の挟持プレートの空隙の広狭が調整されて電力線及び分岐線の固定又はその開放が行われる。
また、第１の発明では、動力受け部が１つであることで、この動力受け部に１つの間接活線工具を接続するだけで、一対の挟持プレートの空隙の広狭を調整可能である。
【０００８】
第２の発明である高圧縁線固定具は、第１の発明であって、一対の挟持プレートは、その空隙に収容される電力線及び分岐線が、空隙の外に出るのを妨げる係止部材を備えていることを特徴とするものである。
上記構成の第２の発明は、第１の発明と同じ作用に加えて、挟持プレートが係止部材を備えていることで、特に、一対の挟持プレートの空隙を広げた状態で、電力線及び分岐線を一対の挟持プレートの間に保持する際に、挟持プレートの間に収容された電力線及び分岐線が、挟持プレートの間から外れてしまうのを抑制するという作用を有する。
これにより、一対の挟持プレートにより電力線及び分岐線を挟持するのに先立って、一対の挟持プレートの間に電力線と分岐線を平行にしながら保持することが容易になる。
【０００９】
第３の発明である高圧縁線固定具は、第２の発明であって、係止部材は、Ｌ字状又は湾曲してなるフック体であり、このフック体は、一対の挟持プレートのいずれか一方の長手方向端部に固設されることを特徴とするものである。
上記構成の第３の発明は、第２の発明と同じ作用に加えて、係止部材をＬ字状又は湾曲してなるフック体とすることで、一対の挟持プレートの間に収容された電力線又は分岐線の挟持プレートの平面方向への移動のみならず、挟持プレートの厚み方向への移動も規制するという作用を有する。
これにより、一対の挟持プレートを大きく開いた状態での電力線及び分岐線の保持性が高められる。
さらに、フック体を一対の挟持プレートのうちのいずれか一方の長手方向端部に固設することで、上記機能を発揮させながら、一対の挟持プレートの間に形成される空隙における電力線及び分岐線の出し入れを妨げないようにするという作用も有する。
【００１０】
第４の発明である高圧縁線固定具は、第１乃至第３の発明のいずれかであって、空隙調整部は、一対の挟持プレートを貫通して設けられる２本のネジ棒と、動力受け部に伝達される動力をこの２本のネジ棒に伝達する動力伝達機構と、を備えることを特徴とするものである。
上記構成の第４の発明は、第１乃至第３のそれぞれの発明と同じ作用に加えて、２本のネジ棒は、一対の挟持プレートを、所望の幅の空隙を維持しながら平行に保持するという作用を有する。また、動力伝達機構は、外部から動力受け部に伝達された動力を、２本のネジ棒に伝達するという作用を有する。
この結果、外部から１つの動力受け部に伝達された動力により２本のネジ棒のそれぞれが、その中心軸を基軸に回動されることで、一対の挟持プレートの空隙の広狭が調整される。これと同時に、一対の挟持プレートによる電力線及び分岐線の挟持力の強弱は、２本のネジ棒の回転量に応じて調整される。
この場合、ネジ棒を１本のみ備えて、一対の挟持プレートの空隙の広狭を調整する場合に比べて、電力線及び分岐線に対して一対の挟持プレートにより作用する挟持力を均一化するという作用を有する。
これにより、電力線及び分岐線の局所に過剰な挟持力が作用するのが抑制される。
【００１１】
第５の発明である高圧縁線固定具は、第４の発明であって、動力伝達機構は、笠歯車を用いることを特徴とするものである。
上記構成の第５の発明は、第４の発明と同じ作用に加えて、動力伝達機構として笠歯車を用いることで、１つの動力受け部に伝達された動力を効率良く２本のネジ棒に伝達するとともに、第５の発明の構造をシンプルにするという作用を有する。
【発明の効果】
【００１２】
上述のような第１の発明によれば、電力線及び分岐線を平行な状態で一対の挟持プレートによりしっかりと挟持して固定しておくことができる。また、その着脱作業が容易で、かつ、繰り返し使用することができる耐用品としての高圧縁線固定具を提供できる。
さらに、第１の発明に係る高圧縁線固定具では、一対の挟持プレートが、電力線又は分岐線の伸長方向に沿って長い場合でも、１箇所の動力受け部に動力を供給するだけで、一対の挟持プレートの間に形成される隙間の広狭を所望に調整できる。これにより、第１の発明に係る高圧縁線固定具の操作に必要な間接活線工具の数を少なくできる。よって、電力線及び分岐線に対して第１の発明の着脱作業を行う際の作業性を向上できる。
【００１３】
第２の発明は、上述の第１の発明と同じ効果に加えて、挟持プレートが係止部材を備えることで、挟持プレートの空隙を広げてその間に電力線及び分岐線を収容する際に、一旦空隙に収容された電力線及び分岐線が、空隙の外に出て外れてしまうのを抑制できる。
これにより、電力線及び分岐線への第２の発明の取付け作業が一層容易になるので、その作業性を向上できる。
【００１４】
第３の発明は、上述の第２の発明と同じ効果に加えて、係止部材の形状を、Ｌ字状又は湾曲してなるフック体とし、その取付け位置を一対の挟持プレートのいずれか一方の長手方向端部に特定することで、一対の挟持プレートの空隙に電力線及び分岐線を収容する際に、係止部材が電力線及び分岐線の移動の妨げになるのを抑制できる。
この結果、一対の挟持プレートの間に形成される空隙に、電力線及び分岐線をスムーズに誘導できるので、電力線及び分岐線への第２の発明の取付け作業が一層容易になり、その作業性を向上できる。
【００１５】
第４の発明は、上述の第１乃至第３のいずれかの発明と同じ効果に加えて、一対の挟持プレートの空隙の広狭の調節に２本のネジ棒を用いることで、一対の挟持プレートの間に挟持される電力線及び分岐線に作用する押圧力を均一化できる。
この結果、一対の挟持プレートの間に挟持される電力線及び分岐線の局所に大きな負荷がかかるのを防止できる。これにより、電力線及び分岐線の固定時に、その一部が断線するなどして損傷するのを防止できる。
また、第４の発明によれば、一対の挟持プレートの全体において十分な挟持力が発揮されるため、第４の発明による電力線及び分岐線の固定時に、第４の発明が外れてしまう心配がない。よって、より信頼性の高い高圧縁線固定具を提供することができる。
【００１６】
第５の発明は、上述の第４の発明と同じ効果に加えて、動力伝達機構に笠歯車を用いることで、１つの動力受け部に供給される動力を、２本のネジ棒に効率良く伝達できる。また、この場合、第４の発明の構造をシンプルにできるというメリットも有する。
【図面の簡単な説明】
【００１７】
【図１】本発明の実施の形態に係る高圧縁線固定具の概念図である。
【図２】本発明の実施の形態に係る高圧縁線固定具における一対の挟持プレートを離間させた状態を示す概念図である。
【図３】本発明の実施の形態に係る高圧縁線固定具の一対の挟持プレートの間の空隙に電力線及び分岐線を収容する際の手順を示す側面図である。
【図４】（ａ）本発明の実施の形態に係る一対の挟持プレートにより電力線及び分岐線を挟持する前の状態を挟持プレートの端面方向から見た図であり、（ｂ）本発明の実施の形態に係る一対の挟持プレートにより電力線及び分岐線を挟持している状態を挟持プレートの端面方向から見た図である。
【図５】本発明の実施の形態に係る高圧縁線固定具により電力線及び分岐線を固定した状態を示す概念図である。
【図６】本発明の実施の形態に係る高圧縁線固定具における空隙調整部及び動力伝達機構の一例を模式的に示す概念図である。
【図７】本発明の実施の形態に係る高圧縁線固定具における空隙調整部及び動力伝達機構の他の例を模式的に示す概念図である。
【図８】本発明の実施の形態に係る高圧縁線固定具における動力受け部の一例を示す概念図である。
【図９】従来技術に係るバインド線により電力線とその分岐線を固定した状態を示す側面図である。
【発明を実施するための形態】
【００１８】
本発明の実施の形態に係る高圧縁線固定具について図１乃至図８を参照しながら詳細に説明する。
【００１９】
はじめに、図１を参照しながら本実施の形態に係る高圧縁線固定具の概要について説明する。図１は本発明の実施の形態に係る高圧縁線固定具の概念図である。なお、図９に記載されたものと同一部分については同一符号を付し、その構成についての説明は省略する。
図１に示すように、本実施の形態に係る高圧縁線固定具１は、先の図９に示す分岐点９近傍に配される電力線７及び分岐線８を平行に配しながら挟持するための下挟持プレート２ａ及び上挟持プレート２ｂからなる一対の挟持プレート２と、この一対の挟持プレート２の間に形成される空隙３の広狭を調整するための空隙調整部４と、この空隙調整部４を作動させる動力を外部から取り込むための動力受け部５とにより構成されるものである。また、本実施の形態に係る高圧縁線固定具１では、動力受け部５を１つのみ備えている。
このような本実施の形態に係る高圧縁線固定具１によれば、動力受け部５に、間接活線工具である、例えば、共用操作棒の頭部を接続して、共用操作棒の中心軸を基軸に所望方向に回転させて動力を発生させ、この動力により空隙調整部４を作動させて、一対の挟持プレート２の間に形成される空隙３の広狭を調整できる。
つまり、一対の挟持プレート２の間に形成される空隙３に、先の図９に示す電力線７及び分岐線８を平行に配した状態で、下挟持プレート２ａ及び上挟持プレート２ｂの間隔を狭めることで、一対の挟持プレート２により電力線７及び分岐線８を挟持して固定することができる。
なお、本実施の形態に係る高圧縁線固定具１において、空隙調整部４により一対の挟持プレート２の間の空隙３の広狭を調整する仕組みについては、後段において詳細に説明する。
【００２０】
このような本実施の形態に係る高圧縁線固定具１によれば、電力線７と分岐線８を平行な状態に維持したまま所望期間固定しておくことができる着脱式の固定具を提供することができる。
また、このような本実施の形態に係る高圧縁線固定具１によれば、間接活線工具を高圧縁線固定具１の動力受け部５に接続して、その中心軸を基軸に回転させるだけで、高圧縁線固定具１の着脱を行うことができる。しかも、その際に必要な間接活線工具は一つのみであるため、作業性が極めて良好である。
従って、本実施の形態に係る高圧縁線固定具１によれば、効率的かつ確実に電力線７に分岐線８を固定することができる。
【００２１】
さらに、本実施の形態に係る高圧縁線固定具１では、上述のような構成に加えて、例えば、図１に示すように、上挟持プレート２ｂの長手方向端面の角部で、かつ、挟持プレート２を平面視した場合に、それぞれが対角に位置するように配置される係止部材６ａ，６ｂを１つずつ備えていてもよい。
この係止部材６ａ，６ｂを備えることで、一対の挟持プレート２の間に形成される空隙３に電力線７及び分岐線８を収容した際に、空隙３から電力線７及び分岐線８が移動して外れてしまうのを防止できる。
この点について図２を参照しながらより詳細に説明する。
図２は本発明の実施の形態に係る高圧縁線固定具における一対の挟持プレートを離間させた状態を示す概念図である。なお、図１，９に記載されたものと同一部分については同一符号を付し、その構成についての説明は省略する。
本実施の形態に係る高圧縁線固定具１における一対の挟持プレート２の間に電力線７及び分岐線８を保持しておくには、はじめに、空隙調整部４を作動させて、図２に示すように、下挟持プレート２ａと上挟持プレート２ｂの間の空隙３を広げておく。
そして、イメージとしてはこの状態で一対の挟持プレート２の間に電力線７及び分岐線８を単に移動させればよいのであるが、この作業は実際には容易ではない。
【００２２】
通常、電力線７等に対する作業を行う場合、作業員は、電力線７等に直接触れると危険なので、単に電力線７や分岐線８を動かすだけでも必ず間接活線工具を使用する。また、間接活線工具（例えば、ヤットコ、共用操作棒等）の操作は、通常、両手により行うので、一度に一人で操作できる間接活線工具は１つである。
さらに、電力線７等に対する作業は、通常、二人で行う場合が多く、電力線７と分岐線８をそれぞれ別々の間接活線工具で個別に保持しつつ、これらとは別の間接活線工具を用いて高圧縁線固定具１の操作を行うことは現実的ではなかった。つまり、２人の人員で３つの間接活線工具を操作することは困難である。
このような事情に鑑み、本実施の形態に係る高圧縁線固定具１では、一対の挟持プレート２の間に電力線７及び分岐線８を収容した場合に、その状態を維持できるように補助具を備えていることが望ましく、このような補助具として機能するものが、図１，２に示す上挟持プレート２ｂの長手方向端部に一体に固設される係止部材６ａ，６ｂである。
【００２３】
なお、本実施の形態に係る高圧縁線固定具１では、係止部材６ａ，６ｂを、Ｌ字形のフック体により構成し、これらを上挟持プレート２ｂに固設している。この場合、係止部材６ａ，６ｂの軸部Ｐは、下挟持プレート２ａが配される側に突設され、かつ、その先端の鉤部Ｑは、上挟持プレート２ｂの長手方向中心軸側を向くように屈曲している。
このように、上挟持プレート２ｂが係止部材６ａ及び係止部材６ｂを備えることで、一対の挟持プレート２の間の空隙３に収容された電力線７を係止部材６ａにより、分岐線８を係止部材６ｂによりそれぞれ係止して保持しておくことができる。
つまり、一対の挟持プレート２の間の空隙３に電力線７及び分岐線８を保持しておくために、その都度間接活線工具を使用して電力線７及び分岐線８を保持しておく必要がなくなる。
この結果、電力線７の分岐点９近傍における電力線７及び分岐線８に本実施の形態に係る高圧縁線固定具１を取り付ける作業を、より少ない数の間接活線工具（より具体的には、２つの間接活線工具）を用いて行うことができる。よって、本実施の形態に係る高圧縁線固定具１の取付け作業を簡素化できる。
なお、図１，２では、係止部材６ａ，６ｂとして平面形状がＬ字形であるフック体を用いる場合を例に挙げて説明しているが、このフック体の平面形状は、湾曲状であってもよい。
【００２４】
なお、本実施の形態に係る高圧縁線固定具１では、上挟持プレート２ｂにおいて対角に位置する一組の角部に係止部材６ａ及び係止部材６ｂを個別に備えている。
この場合、一対の挟持プレート２の間に形成される空隙３に、例えば、分岐線８を収容しようとする場合は、図２に示すように、挟持プレート２の長手方向を分岐線８の伸長方向に沿うように配してから、分岐線８を係止部材６ｂの鉤部Ｑの下をくぐらせるようにして上挟持プレート２ｂの真下に移動させ、この後、分岐線８を上挟持プレート２ｂの中心軸側から係止部材６ａの軸部Ｐの横に移動させればよい。
また、挟持プレート２の他の側縁側に配される電力線７（図示せず）についても同様の手順により係止部材６ａに係止させることができる。
【００２５】
なお、図１，２に示す本実施の形態に係る高圧縁線固定具１では、上挟持プレート２ｂの角部の全てに係止部材６ａ又は係止部材６ｂを設けおいてもよいが、この場合は、係止部材６ａ，６ｂによる電力線７及び分岐線８の保持効果が向上する一方で、挟持プレート２の間に形成される空隙３への電力線７及び分岐線８の出し入れがやや困難になるというデメリットが生じることが予想される。
また、本実施の形態に係る高圧縁線固定具１では、上挟持プレート２ｂに係止部材６ａ，６ｂを固設する場合を例に挙げて説明しているが、係止部材６ａ，６ｂは下挟持プレート２ａに設けてもよい。
【００２６】
さらに、本実施の形態に係る高圧縁線固定具１では、下挟持プレート２ａと上挟持プレート２ｂを近接させた場合に、上挟持プレート２ｂに固設される係止部材６ａ，６ｂが、下挟持プレート２ａに干渉することがないよう配慮する必要がある。
このため、例えば、本実施の形態に係る高圧縁線固定具１では、上挟持プレート２ｂの長手方向の長さを、下挟持プレート２ａよりもわずかに長くしておき、下挟持プレート２ａに上挟持プレート２ｂを重ね合せた際に、それぞれの角部が完全に重なり合わないようにしている。
なお、上述以外の方法としては、例えば、下挟持プレート２ａと上挟持プレート２ｂを同じ大きさにしておき、係止部材６ａ，６ｂを、係止部材６ａ，６ｂを固設しない側の挟持プレート２と干渉しないように、挟持プレート２の長手方向端面に突設してもよい。
なお、下挟持プレート２ａと上挟持プレート２ｂを近接させた際に、係止部材６ａ，６ｂが、それが固設されない他の挟持プレート２に干渉しないように取付けられるのであれば、その取付け方法は問題としない。
【００２７】
ここで、図３を参照しながら電力線７の分岐点９の近傍に本実施の形態に係る高圧縁線固定具１を取り付ける際の具体的な手順について説明する。
図３は本発明の実施の形態に係る高圧縁線固定具の一対の挟持プレートの間の空隙に電力線及び分岐線を収容する際の手順を示す側面図である。なお、図１，２，９に記載されたものと同一部分については同一符号を付し、その構成についての説明は省略する。
本実施の形態に係る高圧縁線固定具１の一対の挟持プレート２の間の空隙３に電力線７及び分岐線８を収容するには、図３に示すように、分岐点９から離れた位置から分岐点９に近づけるように高圧縁線固定具１を移動させつつ、その過程でまず、係止部材６ｂに分岐線８を係止させて分岐線８を一対の挟持プレート２の間に保持し、この後、さらに高圧縁線固定具１を分岐点９に近づけながら、今度は電力線７を係止部材６ａに係止させて、電力線７を一対の挟持プレート２の間に保持して、この状態で所望量だけ高圧縁線固定具１を分岐点９に近づければよい。
【００２８】
なお、この時、空隙調整部４を、電力線７及び分岐線８の間に侵入させることで、空隙調整部４を電力線７と分岐線８のスペーサーとして利用できる。これにより、一対の挟持プレート２の間において電力線７及び分岐線８を平行に保持することができる。
他方、一対の挟持プレート２の間に配設される電力線７と分岐線８が平行でない場合は、電力線７又は分岐線８の局所に大きな押圧力が作用して、断線等の不具合が生じる恐れがあり、好ましくない。
また、この作業は、本実施の形態に係る高圧縁線固定具１を所望の位置に保持しておくための間接活線工具と、必要に応じて分岐線８や電力線７を係止部材６ｂや係止部材６ａに係止させるための間接活線工具の、合計２つの間接活線工具を用いて行うことができるので、二人の人員で支障なく作業を完了できる。
【００２９】
そして、図３において一対の挟持プレート２の間に電力線７及び分岐線８を平行に配しながら収容した状態を、図３中の符号Ａで示す方向から見た状態を示したものが図４である。
また、先の図３では、電力線７と分岐線８とが鉛直方向に並設され、かつ、挟持プレート２の平面方向を鉛直方向に向けて作業する場合を例に挙げて説明しているが、電力線７及び分岐線８はともに可撓性を有しているので、電力線７と分岐線８を水平方向に平行に配し、かつ、挟持プレート２の平面方向を水平方向に向けた状態で高圧縁線固定具１の着脱作業を行ってもよい。
特に、この場合、動力受け部５に間接活線工具を嵌設して本実施の形態に係る高圧縁線固定具１を下から支えるようにして支持することができるので、高圧縁線固定具１の着脱作業時の作業性が一層向上する。
なお、本実施の形態に係る高圧縁線固定具１において、動力受け部５は、一対の挟持プレート２を保持しておくための間接活線工具を装着するための装着部としても機能する。つまり、この動力受け部５に、例えば、共用操作棒の頭部を接続することで、共用操作棒により高圧縁線固定具１を支えながら、保持しておくことができる。
【００３０】
次に、図４を参照しながら、本実施の形態に係る高圧縁線固定具１の挟持プレート２により電力線７及び分岐線８を挟持して固定する手順について詳細に説明する。
図４（ａ）は本発明の実施の形態に係る一対の挟持プレートにより電力線及び分岐線を挟持する前の状態を挟持プレートの端面方向から見た図であり、（ｂ）は本発明の実施の形態に係る一対の挟持プレートにより電力線及び分岐線を挟持している状態を挟持プレートの端面方向から見た図である。なお、図１乃至図３，９に記載されたものと同一部分については同一符号を付し、その構成についての説明は省略する。
先の図３においても説明したように、一対の挟持プレート２の間に形成される空隙３に電力線７と分岐線８を収容した後、一対の挟持プレート２の空隙３を狭めることで、一対の挟持プレート２を固定することができる。
より具体的には、図４（ａ）に示すように、本実施の形態に係る高圧縁線固定具１の動力受け部５に形成される係止溝（後段において説明する図８の係止溝１９を参照）に、例えば、共用操作棒１１の頭部に突設される突起１１ａを掛着して、共用操作棒１１をその中心軸を基軸に所望方向に回転させることで、空隙調整部４が作動して下挟持プレート２ａと上挟持プレート２ｂの間の空隙３が狭まり、最終的には、図４（ｂ）で示すように、一対の挟持プレート２により電力線７及び分岐線８を固定することができる。
なお、この状態を斜視図で示したものが図５である。
また、動力受け部５を操作するものとしては、共用操作棒１１以外の間接活線工具を用いることができる。この場合、動力受け部５の形態を、その操作に用いようとする間接活線工具を接続できるよう構成しておく必要がある。
【００３１】
図５は本発明の実施の形態に係る高圧縁線固定具により電力線及び分岐線を固定した状態を示す概念図である。また、図１乃至図４，９に記載されたものと同一部分については同一符号を付し、その構成についての説明は省略する。
図５に示すように、一対の挟持プレート２の間に電力線７及び分岐線８が挟持される場合、挟持プレート２の中央に配置される空隙調整部４は、電力線７及び分岐線８を分離するスペーサーとして機能する。
【００３２】
続いて、図６を参照しながら本実施の形態に係る高圧縁線固定具１の空隙調整部及びそれを作動させる動力伝達機構について詳細に説明する。
図６は本発明の実施の形態に係る高圧縁線固定具における空隙調整部及び動力伝達機構の一例を模式的に示す概念図である。なお、図１乃至図５，９に記載されたものと同一部分については同一符号を付し、その構成についての説明は省略する。
本実施の形態に係る高圧縁線固定具１の空隙調整部４は、図６に示すように、例えば、下挟持プレート２ａを貫通して挿設され、上挟持プレート２ｂに螺設される２本のネジ棒１２ａ，１２ｂと、このネジ棒１２ａ，１２ｂをその中心軸を基軸に正逆回動させる動力伝達機構１３Ａとにより構成されるものである。
より具体的には、動力伝達機構１３Ａは、例えば、図６に示すように、動力受け部５の頂部に一体に固設される笠歯車１５ａを備えた動力伝達軸１４ａと、笠歯車１５ｂ，１５ｄを備えた動力伝達軸１４ｂと、笠歯車１５ｃ，１５ｅを備えた動力伝達軸１４ｃとにより構成されている。
また、動力伝達機構１３Ａから供給される動力を受け入れるために、２本のネジ棒１２ａ，１２ｂの上挟持プレート２ｂに螺設されない側の端部は、それぞれ笠歯車１５ｆ，１５ｇを備えている。
【００３３】
そして、図６に示す本実施の形態に係る高圧縁線固定具１においては、共用操作棒１１の中心軸を基軸とする正逆方向の回転トルクが、動力伝達軸１４ａ及び笠歯車１５ａを介して、動力伝達軸１４ｂ，１４ｃに伝達され、さらに、動力伝達軸１４ｂに伝達された回転トルクが、笠歯車１５ｄ，１５ｆを介してネジ棒１２ａに、動力伝達軸１４ｃに伝達された回転力は笠歯車１５ｅ，１５ｇを介してネジ棒１２ｂに、それぞれ伝達される。
この結果、ネジ棒１２ａ及びネジ棒１２ｂがその中心軸を基軸に回動することで、ネジ棒１２ａ，１２ｂ上を上挟持プレート２ｂが、下挟持プレート２ａに近接するように、あるいは、下挟持プレート２ａから離間するようにスライドする。
従って、上述のような一連の動作により、一対の挟持プレート２による電力線７及び分岐線８の固定、並びに、電力線７及び分岐線８から一対の挟持プレート２の取り外しが可能になる。
このように、本実施の形態に係る高圧縁線固定具１によれば、電力線７及び分岐線８に対する着脱が容易で、かつ、繰り返し使用することができる耐用品としての高圧縁線固定具を提供できる。
【００３４】
なお、本実施の形態に係る高圧縁線固定具１では、２本のネジ棒１２ａ，１２ｂにより上挟持プレート２ｂをスライドさせる場合を例に挙げて説明しているが、一対の挟持プレート２にネジ棒を２本以上設けてもよい。この場合、上挟持プレート２ｂの作動機構がやや複雑化するものの、挟持プレート２から電力線７及び分岐線８に対して作用する挟持力が均一化するので、高圧縁線固定具１により電力線７及び分岐線８を固定する場合に、電力線７や分岐線８の局所に負荷が集中するのを抑制できる。この場合、電力線７及び分岐線８に断線等の不具合が起こるリスクを小さくできる。
なお、一対の挟持プレート２の間に介設されるネジ棒が１本のみである場合は、空隙調整部４及び動力伝達機構１３Ａの構造を極めてシンプルにできるというメリットを有する。この反面、空隙調整部４のみでは下挟持プレート２ａと上挟持プレート２ｂを所望の空隙３を保ったまま平行に保持しておくことが難しいので、そのための構成を別途設ける必要がある。
このように、本実施の形態に係る高圧縁線固定具１の実用性と製造容易性の両者を考慮すると、２本のネジ棒１２ａ，１２ｂにより上挟持プレート２ｂを作動させるのが最良であると考えられる。
【００３５】
また、本実施の形態に係る高圧縁線固定具１では、上挟持プレート２ｂを作動させるネジ棒（例えば、ネジ棒１２ａ，１２ｂ）を２本以上備える場合でも、１つの動力受け部５を操作するだけで全てのネジ棒（例えば、ネジ棒１２ａ，１２ｂ）を同時に操作することができるので、操作性に優れた高圧縁線固定具を提供できる。よって、本実施の形態に係る高圧縁線固定具１の利便性を高めることができる。
なお、図６に示す高圧縁線固定具１では、ネジ棒１２ａ，１２ｂの下端部に取設される笠歯車１５ｆ，１５ｇ、及び、動力伝達機構１３Ａは、ケーシング１８内に収容されており、このケーシング１８の底面に、動力伝達軸１４ａに連結される動力受け部５が突設されている。
【００３６】
さらに、本実施の形態に係る高圧縁線固定具１の動力伝達機構１３Ａの他の形態について図７を参照しながら説明する。
図７は本発明の実施の形態に係る高圧縁線固定具における空隙調整部及び動力伝達機構の他の例を模式的に示す概念図である。なお、図１乃至図６，９に記載されたものと同一部分については同一符号を付し、その構成についての説明は省略する。
本実施の形態に係る高圧縁線固定具１では、先の図６に示すような動力伝達機構１３Ａに代えて、図７に示すような動力伝達機構１３Ｂを備えていてもよい。
より具体的には、笠歯車１５ａを備える動力伝達軸１４ａや、笠歯車１５ｂ〜１５ｅを備える動力伝達軸１４ｂ，１４ｃ、及び、笠歯車１５ｆ，１５ｇに代えて、プーリ１６ａ，１６ｂを備えた動力伝達軸１４ｄ及び動力伝達ベルト１７ａ，１７ｂからなる動力伝達機構１３Ｂを備えることで、ネジ棒１２ａ，１２ｂをそれぞれの中心軸を基軸に回動させることができるよう構成してもよい。
この場合は、ネジ棒１２ａ，１２ｂのそれぞれの上挟持プレート２ｂに螺設されない側の端部にもプーリ１６ｃ，１６ｄを設けておく必要がある。
【００３７】
図７に示すような動力伝達機構１３Ｂを備える場合も、先の図６に示す場合と同様に、本実施の形態に係る高圧縁線固定具１における２本のネジ棒１２ａ，１２ｂを、それぞれの中心軸を基軸に同時に回動させることができる。
より具体的には、図７に示す本実施の形態に係る高圧縁線固定具１では、共用操作棒１１の中心軸を基軸とする正逆方向の回転力が、動力伝達軸１４ｄ及び動力伝達ベルト１７ａ，１７ｂに伝達され、この後、動力伝達ベルト１７ａ，１７ｂからプーリ１６ｃ，１６ｄに動力が伝達され、最終的に、ネジ棒１２ａ，１２ｂに動力が伝達される。
この結果、先の図６に示す高圧縁線固定具１の場合と同様に、図７に示す高圧縁線固定具１においても、一対の挟持プレート２による電力線７及び分岐線８の固定、並びに、電力線７及び分岐線８から高圧縁線固定具１の取外し、を容易に行うことができる。
なお、図７に示す動力伝達機構１３Ｂを備える場合は、空隙調整部４としてネジ棒（例えば、ネジ棒１２ａ，１２ｂ）を２本以上備える場合でも、１つの動力受け部５の操作により容易に全てのネジ棒（例えば、ネジ棒１２ａ，１２ｂ）をその中心軸を基軸に回動操作することができる。この場合、一対の挟持プレート２の長手方向の長さが大きい高圧縁線固定具１を製造して提供できるというメリットがある。
なお、図７に示す高圧縁線固定具１では、ネジ棒１２ａ，１２ｂの下端部に取設されるプーリ１６ｃ，１６ｄ、及び、動力伝達機構１３Ｂはともに、ケーシング１８内に収容されており、このケーシング１８の底面に動力伝達軸１４ｄに連結される動力受け部５が突設されている。
【００３８】
最後に、図８を参照しながら本実施の形態に係る高圧縁線固定具１の動力受け部５について説明を加える。
図８は本発明の実施の形態に係る高圧縁線固定具における動力受け部の一例を示す概念図である。なお、図１乃至図７，９に記載されたものと同一部分については同一符号を付し、その構成についての説明は省略する。
図８に示すように、動力受け部５は、鉛直下側に共用操作棒１１の頭部を挿脱可能な開口を有する容器状のソケット部５ａに、このソケット部５ａの側面の互いに対向する位置にＴ字形に切り欠かれてなる一対の係止溝１９（図８では一方のみ記載）を備えるものである。また、このような動力受け部５の頂部には、動力伝達軸１４ａ又は動力伝達軸１４ｄが一体に固設されている。
このような動力受け部５では、係止溝１９に共用操作棒１１の頭部に突設される突起１１ａ（図４を参照）を係合させることで、動力受け部５をその中心軸を基軸に回動操作することができる。
そして、この場合、動力伝達軸１４ａ又は動力伝達軸１４ｄから上述の図６，７に示す動力伝達機構１３Ａ，１３Ｂに動力が伝達される。
本実施の形態に係る高圧縁線固定具１は、図８に示すような動力受け部５を備えることで、従来公知の間接活線工具である共用操作棒１１を１つ用いるだけで、一対の挟持プレート２の間に介設される複数本のネジ棒（例えば、ネジ棒１２ａ，１２ｂ）を同時にそれぞれの中心軸を基軸に回動させて、空隙３の広狭を調整することができる。
そして、この動作により、本実施の形態に係る高圧縁線固定具１を用いて電力線７に分岐線８を固定する、あるいは、電力線７及び分岐線８から高圧縁線固定具１を取り外す、ことが可能になる。
【００３９】
なお、本実施の形態に係る高圧縁線固定具１を構成する各パーツは、絶縁材、例えば、硬質プラスチック等により構成されている。また、本実施の形態に係る高圧縁線固定具１は屋外において雨曝しの状態で使用されるため、その中でも耐候性に優れた材質を用いるのが良い。
【産業上の利用可能性】
【００４０】
以上説明したように本発明は、構造がシンプルで、かつ、従来公知の間接活線工具である共用操作棒を１つ用いて操作することができ、しかも、繰り返し使用できる耐用品としての高圧縁線固定具に関するものであり、電力供給設備に及び通信設備に関する技術分野において利用可能である。
【符号の説明】
【００４１】
１…高圧縁線固定具  ２…挟持プレート  ２ａ…下挟持プレート  ２ｂ…上挟持プレート  ３…空隙  ４…空隙調整部  ５…動力受け部  ５ａ…ソケット部  ６ａ，６ｂ…係止部材  ７…電力線  ８…分岐線  ９…分岐点  １０…バインド線  １１…共用操作棒（間接活線工具）  １１ａ…突起  １２ａ，１２ａ…ネジ棒  １３Ａ，１３Ｂ…動力伝達機構  １４ａ〜１４ｄ…動力伝達軸  １５ａ〜１５ｇ…笠歯車  １６ａ〜１６ｄ…プーリ  １７ａ，１７ｂ…動力伝達ベルト  １８…ケーシング  １９…係止溝
【図１】
0006492858.tif 000002
【図２】
0006492858.tif 000003
【図３】
0006492858.tif 000004
【図４】
0006492858.tif 000005
【図５】
0006492858.tif 000006
【図６】
0006492858.tif 000007
【図７】
0006492858.tif 000008
【図８】
0006492858.tif 000009
【図９】
0006492858.tif 000010